【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
原本画像内の特定領域における特徴量を、当該原本画像の特徴量として格納する原本特徴量格納手段と、
鑑定対象として入力された鑑定対象画像のフォーム種別を照合するフォーム照合手段と、
前記フォーム照合手段で照合されたフォーム種別に対応する特定領域を特定し、当該鑑定対象画像内の当該特定領域における特徴量を、当該鑑定対象画像の特徴量として抽出する鑑定対象特徴量抽出手段と、
前記鑑定対象特徴量抽出手段によって抽出された前記鑑定対象画像の特徴量と前記原本特徴量格納手段に格納されている原本画像の特徴量とを照合することによって、前記鑑定対象画像の改ざんの有無を判定する照合手段と、
前記照合手段による前記鑑定対象画像の改ざん有無の判定結果を通知する通知手段と
を備えたことを特徴とする画像処理システム。
【請求項２】
原本として入力された原本画像のフォーム種別を照合する原本フォーム照合手段と、
前記原本フォーム照合手段で照合されたフォーム種別に対応する特定領域を特定し、当該原本画像内の当該特定領域における特徴量を、前記原本画像の特徴量として抽出する原本特徴量抽出手段と、を更に有し、
前記原本特徴量格納手段は、前記原本特徴量抽出手段で抽出された特徴量を格納することを特徴とする請求項１に記載の画像処理システム。
【請求項３】
前記フォーム種別と当該特定領域とが対応付けられたフォーム情報を登録するフォーム情報登録手段を、更に有することを特徴とする請求項１に記載の画像処理システム。
【請求項４】
前記フォーム情報登録手段は、前記フォーム種別に対応する特定領域をユーザの指示に基づいて指定するための特定領域指定手段を含むことを特徴とする請求項３に記載の画像処理システム。
【請求項５】
前記特定領域は、ユーザによって書き込みが行われる可変領域であることを特徴とする請求項１に記載の画像処理システム。
【請求項６】
前記フォーム照合手段で当該鑑定対象画像のフォーム種別が識別されなかった場合、鑑定不可能であることを通知する鑑定不可通知手段を、更に有することを特徴とする請求項１に記載の画像処理システム。
【請求項７】
前記原本画像及び前記鑑定対象画像は、１ページまたは複数ページで構成されることを特徴とする請求項１に記載の画像処理システム。
【請求項８】
原本画像内の特定領域における特徴量を、当該原本画像の特徴量として格納する原本特徴量格納手段を有する装置を制御するための画像改ざん鑑定方法であって、
フォーム照合手段が、鑑定対象として入力された鑑定対象画像のフォーム種別を照合するフォーム照合ステップと、
鑑定対象特徴量抽出手段が、前記フォーム照合ステップで照合されたフォーム種別に対応する特定領域を特定し、当該鑑定対象画像内の当該特定領域における特徴量を、当該鑑定対象画像の特徴量として抽出する鑑定対象特徴量抽出ステップと、
照合手段が、前記鑑定対象特徴量抽出ステップによって抽出された前記鑑定対象画像の特徴量と前記原本特徴量格納手段に格納されている原本画像の特徴量とを照合することによって、前記鑑定対象画像の改ざんの有無を判定する照合ステップと、
通知手段が、前記照合ステップによる前記鑑定対象画像の改ざん有無の判定結果を通知する通知ステップと
を備えたことを特徴とする画像改ざん鑑定方法。
【請求項９】
コンピュータを、
鑑定対象として入力された鑑定対象画像のフォーム種別を照合するフォーム照合手段、
前記フォーム照合手段で照合されたフォーム種別に対応する特定領域を特定し、当該鑑定対象画像内の当該特定領域における特徴量を、当該鑑定対象画像の特徴量として抽出する鑑定対象特徴量抽出手段、
前記鑑定対象特徴量抽出手段によって抽出された前記鑑定対象画像の特徴量と原本特徴量格納手段に格納されている原本画像内の特定領域における特徴量とを照合することによって、前記鑑定対象画像の改ざんの有無を判定する照合手段、
前記照合手段による前記鑑定対象画像の改ざん有無の判定結果を通知する通知手段、として機能させるためのコンピュータプログラム。
【請求項１０】
請求項９に記載のコンピュータプログラムを格納したことを特徴とする、コンピュータ読み取り可能な記憶媒体。
【手続補正２】
【補正対象書類名】明細書
【補正対象項目名】発明の名称
【補正方法】変更
【補正の内容】
【発明の名称】画像処理システム、画像改ざん鑑定方法、コンピュータプログラム、及びコンピュータ読み取り可能な記憶媒体
【手続補正３】
【補正対象書類名】明細書
【補正対象項目名】０００１
【補正方法】変更
【補正の内容】
【０００１】
本発明は、鑑定対象画像の改ざんの有無を判定する手段を有する画像処理システム及び画像改ざん鑑定方法、前記画像改ざん鑑定方法を実行するためのコンピュータプログラム、並びに前記コンピュータプログラムを格納したコンピュータ読み取り可能な記憶媒体に関する。
【手続補正４】
【補正対象書類名】明細書
【補正対象項目名】０００７
【補正方法】変更
【補正の内容】
【０００７】
本発明は上記従来の問題点に鑑み、紙媒体上の画像の改ざんを鑑定するに際し、演算負
荷を軽減して演算時間を抑制することができ、また構成も簡素にすることができる画像処理システム、画像改ざん鑑定方法、コンピュータプログラム、及びコンピュータ読み取り可能な記憶媒体を提供することを目的とする。
【手続補正５】
【補正対象書類名】明細書
【補正対象項目名】０００８
【補正方法】変更
【補正の内容】
【０００８】
上記目的を達成するために、本発明の画像処理システムは、  原本画像内の特定領域における特徴量を、当該原本画像の特徴量として格納する原本特徴量格納手段と、鑑定対象として入力された鑑定対象画像のフォーム種別を照合するフォーム照合手段と、前記フォーム照合手段で照合されたフォーム種別に対応する特定領域を特定し、当該鑑定対象画像内の当該特定領域における特徴量を、当該鑑定対象画像の特徴量として抽出する鑑定対象特徴量抽出手段と、前記鑑定対象特徴量抽出手段によって抽出された前記鑑定対象画像の特徴量と前記原本特徴量格納手段に格納されている原本画像の特徴量とを照合することによって、前記鑑定対象画像の改ざんの有無を判定する照合手段と、前記照合手段による前記鑑定対象画像の改ざん有無の判定結果を通知する通知手段とを備えたことを特徴とする。
本発明の画像改ざん鑑定方法は、原本画像内の特定領域における特徴量を、当該原本画像の特徴量として格納する原本特徴量格納手段を有する装置を制御するための画像改ざん鑑定方法であって、フォーム照合手段が、鑑定対象として入力された鑑定対象画像のフォーム種別を照合するフォーム照合ステップと、鑑定対象特徴量抽出手段が、前記フォーム照合ステップで照合されたフォーム種別に対応する特定領域を特定し、当該鑑定対象画像内の当該特定領域における特徴量を、当該鑑定対象画像の特徴量として抽出する鑑定対象特徴量抽出ステップと、照合手段が、前記鑑定対象特徴量抽出ステップによって抽出された前記鑑定対象画像の特徴量と前記原本特徴量格納手段に格納されている原本画像の特徴量とを照合することによって、前記鑑定対象画像の改ざんの有無を判定する照合ステップと、通知手段が、前記照合ステップによる前記鑑定対象画像の改ざん有無の判定結果を通知する通知ステップとを備えたことを特徴とする。
本発明のコンピュータプログラムは、コンピュータを、鑑定対象として入力された鑑定対象画像のフォーム種別を照合するフォーム照合手段、前記フォーム照合手段で照合されたフォーム種別に対応する特定領域を特定し、当該鑑定対象画像内の当該特定領域における特徴量を、当該鑑定対象画像の特徴量として抽出する鑑定対象特徴量抽出手段、前記鑑定対象特徴量抽出手段によって抽出された前記鑑定対象画像の特徴量と原本特徴量格納手段に格納されている原本画像内の特定領域における特徴量とを照合することによって、前記鑑定対象画像の改ざんの有無を判定する照合手段、前記照合手段による前記鑑定対象画像の改ざん有無の判定結果を通知する通知手段、として機能させるためのコンピュータプログラムであることを特徴とする。
本発明のコンピュータ読み取り可能な記憶媒体は、上記コンピュータプログラムを格納したことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１２
【補正方法】変更
【補正の内容】
【００１２】
本発明の画像処理システム、画像改ざん鑑定方法、コンピュータプログラム、及びコンピュータ読み取り可能な記憶媒体の実施の形態について、図面を参照しながら説明する。
【手続補正９】
【補正対象書類名】明細書
【補正対象項目名】００１９
【補正方法】変更
【補正の内容】
【００１９】
コントローラユニット２２００は、画像入力デバイスであるスキャナ２０７０と画像出
力デバイスであるプリンタ２０９５に接続される一方、ＬＡＮ２０１１や公衆回線（ＷＡ
Ｎ）２０５１にも接続されて、画像情報やデバイス情報などの入出力を行う。
【手続補正１０】
【補正対象書類名】明細書
【補正対象項目名】００２０
【補正方法】変更
【補正の内容】
【００２０】
このコントローラユニット２２００において、ＣＰＵ２００１はシステム全体を制御し
、内部時計２０５２の制御も行う。ＲＡＭ２００２は、ＣＰＵ２００１が動作するために
使用するシステムワークメモリであり、また画像データを一時記憶するための画像メモリ
でもある。ＲＯＭ２００３はブートＲＯＭであり、システムのブートプログラムが格納さ
れている。ＨＤＤ２００４はハードディスクドライブであり、システムソフトウェアや画
像データのほか、後述する原本保証動作を行うため必要な画像処理アルゴリズムの制御情
報などが格納されている。
【手続補正１１】
【補正対象書類名】明細書
【補正対象項目名】００２５
【補正方法】変更
【補正の内容】
【００２５】
ラスターイメージプロセッサ（ＲＩＰ）２０６０は、ネットワークから送信されたＰＤ
Ｌコードをビットマップイメージに展開する。デバイスＩ／Ｆ部２０２０は、スキャナ２
０７０やプリンタ２０９５とコントローラユニット２２００とを接続し、画像データの同
期系／非同期系の変換を行う。スキャナ画像処理部２０８０は、入力画像データに対して
、特徴量の算出のほか、認識、補正、加工、編集を行う。プリンタ画像処理部２０９０は
、プリント出力画像データに対して、補正、解像度変換、電子情報の付加などの加工処理
を行う。画像回転部２０３０は画像データの回転を行い、画像圧縮部２０４０は、多値画
像データに対してＪＰＥＧ圧縮伸張処理を、また２値画像データに対してはＪＢＩＧ、Ｍ
ＭＲ、ＭＨの圧縮処理を行う。